(57)【要約】【課題】Ｘ線撮影装置が提供する機能のうち頻繁に使われる機能を選択しやすくすること。【解決手段】オートポジショニングに関する使用履歴を検査分類ごとに使用履歴データベース８４ａに記憶する。そして、術者から検査分類を検査分類受付部１１０が受け付け、術者が指定した検査分類において使用頻度の高いオートポジショニングに関する情報を使用履歴検索部１２０が使用履歴データベース８４ａから検索し、使用頻度の高い順にオートポジショニング番号および対応する設定を使用履歴情報表示部１３０が表示する。【選択図】        図４
2010017332.tif 000002
【特許請求の範囲】
【請求項１】
装置が提供する機能と該機能の使用頻度とを対応させて検査分類ごとに記憶した使用履歴記憶手段と、
利用者から検査分類を受け付ける検査分類受付手段と、
前記検査分類受付手段により受け付けられた検査分類における各機能の使用頻度を前記使用履歴記憶手段から検索する使用履歴検索手段と、
前記使用履歴検索手段により検索された使用頻度の高い順に機能に関する情報を表示する使用履歴表示手段と
を備えたことを特徴とするＸ線撮影装置。
【請求項２】
前記使用履歴表示手段により表示された情報に基づいて利用者によって選択された機能について前記使用履歴記憶手段が記憶する使用頻度を更新する使用履歴更新手段をさらに備えたことを特徴とする請求項１に記載のＸ線撮影装置。
【請求項３】
前記検査分類受付手段により受け付けられた検査分類が前記使用履歴記憶手段に記憶されていない場合に、該検査分類を前記使用履歴記憶手段に登録する登録手段をさらに備えたことを特徴とする請求項１または２に記載のＸ線撮影装置。
【請求項４】
前記機能は、オートポジショニングまたは撮影プロトコルに関する機能であることを特徴とする請求項１、２または３に記載のＸ線撮影装置。
【請求項５】
前記検査分類は、術者、症例または患者のうちの少なくとも一つに基づくものであることを特徴とする請求項１〜４のいずれか一つに記載のＸ線撮影装置。
【請求項６】
利用者から検査分類を受け付ける検査分類受付ステップと、
装置が提供する機能と該機能の使用頻度とを対応させて検査分類ごとに記憶した使用履歴データベースから前記検査分類受付ステップにより受け付けられた検査分類における各機能の使用頻度を検索する使用履歴検索ステップと、
前記使用履歴検索ステップにより検索された使用頻度の高い順に機能に関する情報を表示する使用履歴表示ステップと
を含んだことを特徴とする機能情報表示方法。
【発明の詳細な説明】
【技術分野】
【０００１】
この発明は、Ｘ線撮影装置の機能に関する情報の表示や機能選択についての技術に関する。
【背景技術】
【０００２】
Ｘ線診断装置などＸ線撮影装置は市場のニーズに対応するために、Ｘ線制御、保持装置等の機械制御、画像処理などにおいて新しい機能が開発・実装され、その数は年々増え続けている。例えば、保持装置の機械制御としては、オートポジショニング機能などが実装されており（例えば、特許文献１参照）、画像処理としては、３Ｄ−ＤＳＡ（３次元−デジタル・サブトラクト・アンギオ）など様々な撮影プログラムが実装されている。
【０００３】
【特許文献１】特開平８−２８９８８５号公報
【発明の開示】
【発明が解決しようとする課題】
【０００４】
しかしながら、装置が提供する機能が増えるにつれて、ユーザが覚える操作の数や操作手順は増加し、マニュアルも記載量が増えてわかりにくくなる。その結果、様々な機能があってもユーザにとっては扱い難い装置になってしまうという課題がある。
【０００５】
この発明は、上述した従来技術による課題を解消するためになされたものであり、頻繁に使用される機能の選択を容易にすることによって、利便性を向上することができるＸ線撮影装置および機能情報表示方法を提供することを目的とする。
【課題を解決するための手段】
【０００６】
上述した課題を解決し、目的を達成するため、請求項１記載の本発明は、装置が提供する機能と該機能の使用頻度とを対応させて検査分類ごとに記憶した使用履歴記憶手段と、利用者から検査分類を受け付ける検査分類受付手段と、前記検査分類受付手段により受け付けられた検査分類における各機能の使用頻度を前記使用履歴記憶手段から検索する使用履歴検索手段と、前記使用履歴検索手段により検索された使用頻度の高い順に機能に関する情報を表示する使用履歴表示手段とを備えたことを特徴とする。
【０００７】
また、請求項６記載の本発明は、利用者から検査分類を受け付ける検査分類受付ステップと、装置が提供する機能と該機能の使用頻度とを対応させて検査分類ごとに記憶した使用履歴データベースから前記検査分類受付ステップにより受け付けられた検査分類における各機能の使用頻度を検索する使用履歴検索ステップと、前記使用履歴検索ステップにより検索された使用頻度の高い順に機能に関する情報を表示する使用履歴表示ステップとを含んだことを特徴とする。
【発明の効果】
【０００８】
請求項１または６記載の本発明によれば、装置が提供する機能に関する情報を使用頻度が高い順に表示するので、頻繁に使用される機能の選択を容易にすることができる。
【発明を実施するための最良の形態】
【０００９】
以下に添付図面を参照して、この発明に係るＸ線撮影装置および機能情報表示方法の好適な実施例を詳細に説明する。なお、本実施例では、本発明をＸ線診断装置に適用した場合を中心に説明する。
【実施例】
【００１０】
まず、本実施例に係るＸ線診断装置による高使用頻度機能の情報提供方法について説明する。図１は、本実施例に係るＸ線診断装置による高使用頻度機能の情報提供方法を説明するための説明図である。
【００１１】
図１に示すように、本実施例に係るＸ線診断装置は、ログイン画面において検査分類すなわち術者、症例および患者を術者に指定させる。術者、症例および患者の指定は全てを指定させる必要はなく、いずれか一つまたは二つだけを指定させることができる。図１では、チェックマークにより術者だけを指定する場合を示している。
【００１２】
そして、本実施例に係るＸ線診断装置は、検査分類の指定を受け付けると、使用履歴データベースを検索し、受け付けた検査分類において使用頻度の高い順に機能に関する情報を表示装置に表示する。ここで、使用履歴データベースは、検査分類ごとに各機能の使用頻度に関する情報を記憶したデータベースである。
【００１３】
例えば、オートポジショニングについては、オートポジショニング番号ごとに使用頻度を使用履歴データベースに記憶し、使用頻度の高い順にオートポジショニング番号および対応する設定を表示する。また、撮影プロトコルについては、撮影プログラムごとに使用頻度を使用履歴データベースに記憶し、使用頻度の高い順に撮影プログラムを表示する。図１では、使用頻度の高い順に撮影プログラムがOriginalの下に表示されている。
【００１４】
このように、本実施例では、術者から検査分類の指定を受け付け、使用履歴データベースを検索し、受け付けた検査分類において使用頻度の高い順に各機能に関する情報を表示装置に表示することによって、術者は使用頻度の高い機能を簡単に選択して使用することができる。
【００１５】
次に、本実施例に係るＸ線診断装置の構成について図２および図３を用いて説明する。図２は、本実施例に係るＸ線診断装置を示す斜視図であり、図３は、本実施例に係るＸ線診断装置の構成を示す機能ブロック図である。
【００１６】
図３に示すように、このＸ線診断装置２０は、Ｘ線発生部１と、検出器２と、保持装置・寝台機構制御部３と、高電圧発生部４と、保持装置５と、Ｘ線／可動部制御コントローラ６と、モニタ７と、システムコントローラ８と、操作部９と、寝台天板１０とを有する。
【００１７】
Ｘ線発生部１は、寝台天板１０上の患者Ｐに照射するＸ線を発生する装置であり、高電圧発生部４から供給される高電圧を用いてＸ線を発生するＸ線管１１と、Ｘ線管１１が発生したＸ線の一部を遮蔽することによって照射野を制御するＸ線絞り器１２とを有する。
【００１８】
検出器２は、患者Ｐを透過したＸ線を電荷に変換して検出するＸ線検出部であり、保持装置・寝台機構制御部３は、保持装置５や寝台天板１０を移動、回転させる機構部である。高電圧発生部４は、Ｘ線管１１に高電圧を供給する装置であり、Ｘ線管１１に供給する高電圧を生成する高電圧発生器４２と、高電圧発生器４２を制御することによってＸ線管１１が発生するＸ線を制御するＸ線制御部４１とを有する。
【００１９】
保持装置５は、Ｘ線発生部１および検出器２を保持するアームであり、Ｘ線／可動部制御コントローラ６は、Ｘ線の発生、保持装置５の移動や回転、寝台天板１０の移動や回転などを制御する機構制御部である。モニタ７は、検出器２によって検出されたＸ線からシステムコントローラ８によって生成された画像を表示する表示部（表示装置）である。
【００２０】
システムコントローラ８は、検出器２によって検出されたＸ線から画像を生成するとともに、Ｘ線診断装置２０全体を制御するシステム制御部であり、検出器Ｉ／Ｆ８１と、Ｘ線／支持器制御Ｉ／Ｆ８２と、ＲＡＩＤ８３と、ＨＤＤ８４と、メモリ８５と、ビデオメモリ８６と、ＣＰＵ８７とを有する。
【００２１】
検出器Ｉ／Ｆ８１は、検出器２とのインタフェースであり、Ｘ線／支持器制御Ｉ／Ｆ８２は、Ｘ線／可動部制御コントローラ６とのインタフェースである。ＲＡＩＤ８３は、画像など患者のデータを記憶する記憶装置であり、ＨＤＤ８４は、ＣＰＵ８７で実行されるプログラムやＲＡＩＤ８３にアクセスするためのデータなどを記憶するディスク装置である。ＨＤＤ８４は、使用履歴データベース８４ａを記憶する。
【００２２】
メモリ８５は、ＨＤＤ８４から読み出されてＣＰＵ８７で実行されるプログラムやプログラムの実行結果などを記憶する装置であり、ビデオメモリ８６は、モニタ７に表示される表示データを記憶する装置である。ＣＰＵ８７は、メモリ８５に記憶されたプログラムを実行する中央処理装置であり、ＣＰＵ８７によって実行されるプログラムの一つに使用履歴情報提供プログラム１００がある。
【００２３】
使用履歴情報提供プログラム１００は、使用履歴情報の提供に関する処理を行うプログラムである。なお、この使用履歴情報提供プログラム１００の詳細については後述する。
【００２４】
操作部９は、Ｘ線診断装置２０に対する術者の操作を受け付けるコンソールであり、寝台天板１０は、患者Ｐが横たわる板である。なお、Ｘ線発生部１、検出器２、保持装置５、モニタ７および寝台天板１０を、図２の斜視図にも示す。
【００２５】
次に、使用履歴情報提供プログラム１００の詳細について説明する。図４は、使用履歴情報提供プログラム１００の構成を示す図である。同図に示すように、この使用履歴情報提供プログラム１００は、検査分類受付部１１０と、使用履歴検索部１２０と、使用履歴情報表示部１３０と、使用履歴更新部１４０とを有する。
【００２６】
検査分類受付部１１０は、図１に示した画面をモニタ７に表示し、検査分類に関する情報すなわち術者、症例、患者に関する情報を術者から受け付ける処理部である。この検査分類受付部１１０は、受け付けた情報を使用履歴検索部１２０に渡す。
【００２７】
使用履歴検索部１２０は、検査分類受付部１１０から検査分類に関する情報を受け取り、使用履歴データベース８４ａを検査分類に基づいて検索する処理部である。この使用履歴検索部１２０は、検査分類に対応するオートポジショニング使用履歴が使用履歴データベース８４ａにある場合には、オートポジショニング番号、対応する設定、使用頻度を検索して使用履歴情報表示部１３０に渡す。一方、検査分類に対応するオートポジショニング使用履歴がない場合には、検査分類に関する情報を使用履歴更新部１４０に渡す。
【００２８】
図５は、使用履歴データベース８４ａの一例を示す図である。同図に示すように、この使用履歴データベース８４ａは、検査分類ごとにオートポジショニング番号と使用頻度を記憶する。例えば、「術者Ａ」、「症例Ｐ」および「患者Ｘ」の組み合わせに対しては、オートポジショニング番号「＃１」の使用頻度は「ａ」であり、オートポジショニング番号「＃９９」の使用頻度は「ｘ」である。
【００２９】
使用履歴情報表示部１３０は、使用履歴検索部１２０からオートポジショニング使用履歴すなわちオートポジショニング番号、使用頻度を受け取り、オートポジショニング番号および対応する設定を使用頻度が高い順に表示する処理部である。
【００３０】
図６は、使用履歴情報表示部１３０が使用頻度の高いオートポジショニング情報を表示画面上に表示する一例を示す図である。この例では、Ｘ線透視画像２０２の右側に、保持装置５の現在の位置・角度やＳＩＤなどとともに、使用頻度の高いオートポジショニング情報２０１が表示されている。このオートポジショニング情報２０１は、オートポジショニング番号「＃１２」の使用頻度が最も高く、次にオートポジショニング番号「＃１３」の使用頻度が高いことを示している。
【００３１】
使用履歴更新部１４０は、使用履歴データベース８４ａを更新する処理部である。この使用履歴更新部１４０は、登録済みの検査分類に関しては、術者が選択したオートポジショニング番号が登録されているか否かを判定し、登録済みの場合には、術者が選択したオートポジショニング番号の使用頻度に「１」を加える。一方、登録されていない場合には、オートポジショニング番号を登録し、使用頻度を「１」に設定する。
【００３２】
また、この使用履歴更新部１４０は、使用履歴データベース８４ａが記憶しない検査分類に関する情報を使用履歴検索部１２０から受け取ると、その検査分類を使用履歴データベース８４ａに新たに登録する。
【００３３】
また、この使用履歴更新部１４０は、オートポジショニング番号に登録されている情報が変更された場合には、変更されたオートポジショニング番号の使用頻度を「０」にクリアする。この使用頻度の「０」クリアは検査分類ごとに行われる。
【００３４】
次に、使用履歴情報提供プログラム１００による使用履歴情報提供処理の処理手順について説明する。図７は、使用履歴情報提供プログラム１００による使用履歴情報提供処理の処理手順を示すフローチャートである。
【００３５】
同図に示すように、この使用履歴情報提供処理では、検査分類受付部１１０が、術者、症例、患者の情報を術者から受け付け（ステップＳ１）、使用履歴検索部１２０に検査分類に関する情報として渡す。すると、使用履歴検索部１２０は、検査分類に関する情報を用いて使用履歴データベース８４ａを検索し（ステップＳ２）、検査分類が使用履歴データベース８４ａに登録されているか否かを判定する（ステップＳ３）。
【００３６】
その結果、検査分類が使用履歴データベース８４ａに登録されている場合には、使用履歴検索部１２０は、検査分類におけるオートポジショニング番号、使用頻度を使用履歴情報表示部１３０に渡す。そして、使用履歴情報表示部１３０がオートポジショニング番号および対応する設定を使用頻度の高い順に表示する（ステップＳ４）。一方、検査分類が使用履歴データベース８４ａに登録されていない場合には、検査分類を使用履歴データベース８４ａに登録する（ステップＳ５）。
【００３７】
そして、術者によってオートポジショニングが使用され、使用履歴更新部１４０が使用されたオートポジショニングに関する情報を操作部９から受け取ると（ステップＳ６、Ｙｅｓ）、使用履歴データベース８４ａを更新する（ステップＳ７）。そして、使用履歴更新部１４０は、検査終了の通知を操作部９から受け取ると（ステップＳ８、Ｙｅｓ）、処理を終了し、検査終了の通知を受け取らない場合は、ステップＳ６に戻る。
【００３８】
上述してきたように、本実施例では、使用履歴データベース８４ａに検査分類ごとにオートポジショニングの使用履歴を記憶し、術者が指定した検査分類において使用頻度の高い順にオートポジショニング番号を使用履歴情報表示部１３０が表示することとしたので、術者のオートポジショニング番号の選択を支援することができる。
【００３９】
（変形例）
ところで、上記実施例では、オートポジショニングの使用履歴を使用履歴データベース８４ａに記憶する場合について説明したが、オートポジショニングの使用履歴の代わり、あるいはオートポジショニングの使用履歴に加えて、他の使用履歴を使用履歴データベース８４ａに記憶することもできる。そこで、他の使用履歴として撮影プロトコルに関する使用履歴を使用履歴データベース８４ａに記憶する場合について説明する。
【００４０】
図８は、撮影プロトコルに関する使用履歴を記憶する使用履歴データベース８４ａの一例を示す図である。同図に示すように、この使用履歴データベース８４ａは、検査分類ごとに撮影箇所ごとの撮影プログラムと使用頻度を記憶する。例えば、「術者Ａ」、「症例Ｐ」および「患者Ｘ」の組み合わせに対しては、撮影箇所が「Ｏ」である場合に撮影プログラム「ＤＡ３０ｆｐｓ」の使用頻度は「ａ」であり、撮影箇所が「Ｃ」である場合に撮影プログラム「ＤＳＡ１５ｆｐｓ」の使用頻度は「ｘ」である。なお、「Ｏ」はOriginalの略であり、撮影箇所の代わりに検査分類に固有の情報であることを示す。また、「Ｃ」はCoronaryの略であり、撮影箇所が心臓であることを示す。
【００４１】
図９は、使用履歴情報表示部１３０が使用頻度の高い撮影プロトコル情報を表示画面上に表示する一例を示す図である。この例では、Ｘ線透視画像２０２の右側に、保持装置５の現在の位置・角度やＳＩＤなどとともに、使用頻度の高い撮影プロトコル情報２１１が表示されている。この撮影プロトコル情報２１１は、術者が指定した検査分類に関しては撮影プログラム「ＤＡ３０ｆｐｓ」の使用頻度が最も高く、次に撮影プログラム「ＤＳＡ７ｆｐｓ」の使用頻度が高いことを示している。また、撮影箇所がNeuroすなわち頭の場合には、撮影プログラム「ＤＡ１５ｆｐｓ」の使用頻度が最も高く、次に撮影プログラム「３Ｄ−ＤＳＡ」の使用頻度が高いことを示している。
【００４２】
上述してきたように、撮影プロトコルに関する使用履歴を検査分類ごとに使用履歴データベース８４ａに記憶し、術者が指定した検査分類において使用頻度の高い順に撮影プログラムを使用履歴情報表示部１３０が表示することによって、術者の撮影プロトコル指定を支援することができる。
【００４３】
なお、本実施例では、オートポジショニングおよび撮影プロトコルの使用履歴を利用する場合について説明したが、本発明はこれに限定されるものではなく、例えば、検査室メニューなど他の機能について使用履歴を利用する場合にも同様に適用することができる。
【００４４】
また、本実施例では、Ｘ線診断装置内に使用履歴を記憶する場合について説明したが、ＨＩＳ（Hospital  Information  System：病院情報システム）／ＲＩＳ（Radiology  Information  System：放射線科情報システム）や記憶メディアを介して他のＸ線診断装置に使用履歴データベースをコピーして利用する場合にも同様に適用することができる。また、複数のＸ線診断装置の使用履歴をまとめて一つの使用履歴データベースとして管理することもできる。
【産業上の利用可能性】
【００４５】
以上のように、本発明は、医療診断装置などに有用であり、特に、豊富な機能を提供する装置に適している。
【図面の簡単な説明】
【００４６】
【図１】本実施例に係るＸ線撮影装置による高使用頻度機能の情報提供方法を説明するための説明図である。
【図２】本実施例に係るＸ線診断装置を示す斜視図である。
【図３】本実施例に係るＸ線診断装置の構成を示す機能ブロック図である。
【図４】使用履歴情報提供プログラムの構成を示す図である。
【図５】使用履歴データベースの一例を示す図である。
【図６】使用履歴情報表示部が使用頻度の高いオートポジショニング情報を表示画面上に表示する一例を示す図である。
【図７】使用履歴情報提供プログラムによる使用履歴情報提供処理の処理手順を示すフローチャートである。
【図８】撮影プロトコルに関する使用履歴を記憶する使用履歴データベースの一例を示す図である。
【図９】使用履歴情報表示部が使用頻度の高い撮影プロトコル情報を表示画面上に表示する一例を示す図である。
【符号の説明】
【００４７】
１    Ｘ線発生部
２    検出器
３    保持装置・寝台機構制御部
４    高電圧発生部
５    保持装置
６    Ｘ線／可動部制御コントローラ
７    モニタ
８    システムコントローラ
９    操作部
１０    寝台天板
１１    Ｘ線管
１２    Ｘ線絞り器
２０    Ｘ線診断装置
４１    Ｘ線制御部
４２    高電圧発生器
８１    検出器Ｉ／Ｆ
８２    Ｘ線／支持器制御Ｉ／Ｆ
８３    ＲＡＩＤ
８４    ＨＤＤ
８４ａ    使用履歴データベース
８５    メモリ
８６    ビデオメモリ
８７    ＣＰＵ
１００    使用履歴情報提供プログラム
１１０    検査分類受付部
１２０    使用履歴検索部
１３０    使用履歴情報表示部
１４０    使用履歴更新部
２０１    使用頻度の高いオートポジショニング情報
２０２    Ｘ線透視画像
２１１    使用頻度の高い撮影プロトコル情報
【図１】
2010017332.tif 000003
【図２】
2010017332.tif 000004
【図３】
2010017332.tif 000005
【図４】
2010017332.tif 000006
【図５】
2010017332.tif 000007
【図６】
2010017332.tif 000008
【図７】
2010017332.tif 000009
【図８】
2010017332.tif 000010
【図９】
2010017332.tif 000011